(57)【要約】【課題】  水蒸気による建物被害がなく、サウナ室での息苦しさがなく、頭寒足熱の現象が生じやすい温熱療養装置を提供する。【解決手段】  被施療者２を支えることが可能なると共に遠赤外線エネルギーを放射可能なる放射手段３及び該放射手段３を暖めることで被施療者２を暖めることが可能な加温手段４よりなる支持手段５と、該支持手段５上に配され且つ該支持手段５上にある被施療者２を包むことが可能なるアーケード６とより構成してなり、前記アーケード６の内面に、遠赤外線エネルギーの放射可能なる第２放射手段８及び該第２放射手段８を暖めることで被施療者２を暖めることが可能な第２加温手段９を配してなる。【選択図】        図３
2007136001.tif 000002
【特許請求の範囲】
【請求項１】
被施療者を支えることが可能なると共に遠赤外線エネルギーを放射可能なる放射手段及び該放射手段を暖めることで被施療者を暖めることが可能な加温手段よりなる支持手段と、該支持手段上にある被施療者を包むことが可能なるアーケードとより少なくとも構成してなり、
前記アーケードの内面に、遠赤外線エネルギーの放射可能なる第２放射手段及び該第２放射手段を暖めることで被施療者を暖めることが可能な第２加温手段より構成してなることを特徴とする温熱療養装置。
【請求項２】
請求項１に記載の温熱療養装置であって、
前記放射手段が、天然貴蛇紋石よりなり、
前記第２放射手段が、天然ホルンブレンドカミングトン閃石ひん岩の微粒子入りパウダー混入材よりなることを特徴とする温熱療養装置。
【請求項３】
請求項１又は請求項２に記載の温熱療養装置であって、
前記支持手段に対して前記アーケードが着脱自在であり且つ前記支持手段に組み込まれることで、被施療者の身体を包むことが可能になることを特徴とする温熱療養装置。
【発明の詳細な説明】
【技術分野】
【０００１】
本発明は、温熱療養装置に関するものである。
【背景技術】
【０００２】
従来の温熱療養装置としては、例えば、個人用のサウナ装置がある。これらのサウナ装置は、被施療者が一人で入るための個室型のサウナ室と、サウナ室内に設けられ且つ被施療者を下側から支えることが可能なる支持部と、水を加熱器で加熱して高温の水蒸気に変換してサウナ室内に噴霧するスチーム等供給部とより構成されてなるものがある（例えば、特許文献１。）。
【特許文献１】実用新案登録第３０８７６４５号
【発明の開示】
【発明が解決しようとする課題】
【０００３】
しかしながら、このような従来の技術にあっては、高温の水蒸気による建物の被害やサウナ室での急激な熱さ、特に鼻から感じる息苦しさが甚だしく、解決が求められている。また、足が冷たいまま、頭の周りが熱くなるという頭寒足熱の逆の現象が生じやすく、この点でも解決が求められている。
【０００４】
本発明は、このような従来の技術に着目してなされたもので、水蒸気による建物被害がなく、サウナ室での息苦しさがなく、頭寒足熱の現象が生じやすい温熱療養装置を提供するものである。
【課題を解決するための手段】
【０００５】
請求項１に記載の発明は、被施療者を支えることが可能なると共に遠赤外線エネルギーを放射可能なる放射手段及び該放射手段を暖めることで被施療者を暖めることが可能な加温手段よりなる支持手段と、該支持手段上に配され且つ該支持手段上にある被施療者を包むことが可能なるアーケードとより少なくとも構成してなり、前記アーケードの内面に、遠赤外線エネルギーの放射可能なる第２放射手段及び該第２放射手段を暖めることで被施療者を暖めることが可能な第２加温手段を配してなることを特徴とする。
【０００６】
請求項２に記載の発明は、前記放射手段が、天然貴蛇紋石よりなり、前記第２放射手段が、天然ホルンブレンドカミングトン閃石ひん岩の微粒子入りパウダー混入材よりなることを特徴とする。
【０００７】
請求項３に記載の発明は、前記支持手段に対して前記アーケードが着脱自在であり且つ前記支持手段に組み込まれることで、被施療者の身体を包むことが可能になることを特徴とする。
【発明の効果】
【０００８】
請求項１に記載の発明によれば、被施療者を支えることが可能なると共に遠赤外線エネルギーを放射可能なる放射手段及び該放射手段を暖めることで被施療者を暖めることが可能な加温手段よりなる支持手段と、該支持手段上に配され且つ該支持手段上にある被施療者を包むことが可能なるアーケードとより少なくとも構成してなり、前記アーケードの内面に、遠赤外線エネルギーの放射可能なる第２放射手段及び該第２放射手段を暖めることで被施療者を暖めることが可能な第２加温手段を配してなることにより、被施療者は、支持手段の放射手段とアーケードの第２放射手段とに包まれる関係にあるので、放射手段及び第２放射手段が放射する遠赤外線エネルギーが被施療者の身体の奥まで達し、身体の活性化を図ることができる。
【０００９】
また、加温手段及び第２加温手段により、前記放射手段及び第２放射手段が暖められ、頭をのぞいた被施療者の身体を支持手段の放射手段とアーケードの第２放射手段との間に入り込んでいることで、頭寒足熱どころか、被施療者の身体全体が暖められ、しかも頭は温められないので、気持ちの良い加温性を得られることができる。
【００１０】
請求項２に記載の発明によれば、前記放射手段が、天然貴蛇紋石よりなり、前記第２放射手段が、天然ホルンブレンドカミングトン閃石ひん岩の微粒子入りパウダー混入材よりなるため、それぞれの石の持つ性能により被施療者が効率よく施療可能であるばかりでなく、一度暖めると長時間の温度保持が可能となり、加温手段及び第２加温手段をたびたび稼働させる必要が無い分、消費電力を少なくできる。
【００１１】
請求項３に記載の発明によれば、前記支持手段に対して前記アーケードが着脱自在であり且つ前記支持手段に組み込まれることで、被施療者の身体を包むことが可能になるため、アーケードが支持手段に組み込まれていない状態では、アーケードは、平板状とすることができ、屏風状に立てれば、室内の面暖房装置とすることができるし、家具との隙間など狭い空間に挿入可能であるので、収納性に優れることになる。
【発明を実施するための最良の形態】
【００１２】
水蒸気による建物被害がなく、サウナ室での息苦しさがなく、頭寒足熱の現象が生じやすい温熱療養装置を提供する、という目的を、被施療者を支えることが可能なると共に遠赤外線エネルギーを放射可能なる放射手段及び該放射手段を暖めることで被施療者を暖めることが可能な加温手段よりなる支持手段と、該支持手段上に配され且つ該支持手段上にある被施療者を包むことが可能なるアーケードとより少なくとも構成してなり、前記アーケードの内面に、遠赤外線エネルギーの放射可能なる第２放射手段及び該第２放射手段を暖めることで被施療者を暖めることが可能な第２加温手段を配してなることにより、実現した。以下、本発明の最良の実施形態を図面の基づいて説明する。
【実施例１】
【００１３】
図１乃至図１４は、本願発明の第１実施例を示している。図１は、温熱療養装置１の全体全体を示す斜視図である。図２は、図１の温熱療養装置１を分解して示す斜視図である。図３は、図１のＳＡ−ＳＡ線に沿った断面を示している。
【００１４】
前記温熱療養装置１は、支持手段５と、該支持手段５上に寝た被施療者２を包むことが可能なるアーケード６とより構成してなる。尚、この明細書において、前記温熱療養装置１による施療を行う対象を被施療者２というが、図２ではうつ伏せ状態、図３，図４，図２４では仰向け状態をそれぞれ示すが、同一の被施療者２であって、他意はない。また、裸で施療を行っても、着衣を身につけて施療を行っても良い。更に、老若男女の差も、身体の大小も関係がない。
【００１５】
前記支持手段５は、前記被施療者２を下側から支えることが可能なると共に天然貴蛇紋石よりなることで遠赤外線エネルギーを放射可能なる放射手段３と、該放射手段３を暖めることで被施療者２を暖めることが可能な加温手段４と、前記放射手段３を床１７より持ち上げた位置で下側から支える台座１０とよりなる。図３に示す符号３０は、支持手段５の上に置かれて、被施療者２の頭部Ｈを支える枕である。この枕３０は、図によって無かったりするが、他意はない。
【００１６】
放射手段３に用いる機能性部材の天然貴蛇紋石は、暗緑色に淡緑色の脈が複雑に入った蛇紋岩（蛇灰岩ともいう）であり、採取した場所では、天然貴蛇紋石を用いて関節痛などを治すと言う伝説がある。図３５に示す遠赤外線放射比較データによれば、天然貴蛇紋石の遠赤外線放射率が高いことが確認できる。その他、保温性、抗菌性、消臭性に優れている。例えば、出願人において、天然貴蛇紋石をパウダー状にして繊維に練り込んだ肌着と、レギュラー繊維を使用した肌着とをそれぞれ３０分間着用し、脱衣後から体表温度の変化を測定したところ、前者の肌着は、脱衣直後よりも２０分後の方が表面温度が高くなるというデータを出願人において確認している。また、天然貴蛇紋石のチップを冷蔵庫に入れると、肉や魚や野菜の新鮮さを維持する時間が長くなったことから、抗菌性にも効果があることを確認したし、天然貴蛇紋石のチップを冷蔵庫内に入れたままにすることで、腐敗臭などの嫌な臭いが気にならならないレベルまで下がることから、消臭性に優れていることを確認している。
【００１７】
前記放射手段３を下側から支える台座１０は、南アフリカ産のベルファースト材という花崗岩よりなる化粧部材１５と、該化粧部材１５を上端部に保持すると共に床１７から一定の高さに化粧部材１５がなることで寝ころびやすくした脚体１６とよりなる。前記化粧部材１５及び脚体１６に用いられる花崗岩の特徴は、熱伝導性・保温性・放射性を有し、常温域での遠赤外線放射にも優れた癒しの材質として知られるものである。
【００１８】
前記放射手段３は、被施療者２が仰向けに寝ころんだ状態での左右側ＡＢが６３０ミリメートル、上下側ＣＤが４５０ミリメートル、板厚側ＪＫが４０ミリメートルの方形の天然貴蛇紋石を被施療者２の頭部Ｈ側から足Ｆ側に向けて４枚並べて台座１０の上に配されるものであり、該放射手段３からの遠赤外線エネルギーの放射率は高く、加温手段４により一度暖めると長時間の温度保持ができる。前記放射手段３に用いる天然貴蛇紋石は、鉱石群の中でも保温力は高いので、消費電力も最小限で収まる。加えて熱伝導性にも優れ、放つ遠赤外線エネルギーは近赤外線の刺々しい熱質とは異なり、まろやかなエネルギーを放射可能である。前記放射手段３の板厚を４０ミリメートルとしたのは、温熱の効率を活かす鉱石の保温力と省エネを得るためである。
【００１９】
前記加温手段４は、発熱コードヒーター１８と、コントローラ１９とよりなる。符号２０は、発熱コードヒーター１８とコントローラ１９とを電気的に結線する電気コード（図示しない）の一方側の挿入されるコンセントである。該発熱コードヒーター１８の能力は、１００ボルト（Ｖ）・１１０ワット（Ｗ）で、長さが５ｍの発熱コードヒーター１８を二本用い、全長１０ｍの発熱コードヒーター１８で放射手段３である天然貴蛇紋石を加熱可能としている。
【００２０】
放射手段３である天然貴蛇紋石の裏側の面３ｂには、深さ２０ｍｍの所まで４ｍｍ幅をもって、図２及び図９に示すように、Ｖ字状に削り落としてなる溝３ａ（図１０参照）を連続して形成することで、ジグザグ状をなす。該溝３ａ内に、図３に示すように、前記発熱コードヒーター１８を嵌合して、溝３ａの開口を、１３０℃に耐えられる耐熱性を有すると共に耐久性に優れたシリコンゴム製のシール材２１により発熱コードヒーター１８を溝３ａへ押さえ込むようにして組み立てる。
【００２１】
前記コントローラ１９は、図１４に示すように、アーケード６の第２加温手段９の温度制御スイッチ３１と、加温手段４の温度制御スイッチ３２と、電源投入オンオフスイッチ３３と、自動運転用のオートスイッチ３４と、タイマースイッチ３５と、連続運転用スイッチ３６とよりなる。電源投入オンオフスイッチ３３と、自動運転用のオートスイッチ３４と、連続運転用スイッチ３６との上側には、該スイッチ３３，３４，３６の何れかを押圧すると、表示部３３ａ，３４ａ，３６ａの何れか或いはそのいくつかが点灯して、稼働していることを示すようになっている。温度制御スイッチ３１，３２の出力設定は、０(OFF)〜１０(最大)で設定できる。
【００２２】
前記支持手段５に対して前記アーケード６が着脱自在であり且つ前記支持手段５にアーケード６が組み込まれることで、被施療者２の身体を上下から包むことが可能になるように構成されてなる。
【００２３】
前記アーケード６は、前記被施療者２の下半身２ａ側を覆う下側カバー１１と、該下側カバー１１の上側に重なる位置から前記被施療者２の上半身２ｂ側を覆う位置にスライド可能なる上側カバー１２と、前記下側カバー１１及び上側カバー１２の内面、すなわち、被施療者２を包む空間７側に配される遠赤外線エネルギーの放射可能なる第２放射手段８と、該第２放射手段８を暖めることで被施療者２を暖めることが可能な第２加温手段９とより構成してなる。図３に示す符号２９は、上側カバー１２と下側カバー１１との間から空間７内の熱気が逃げないように配された第２シール材である。
【００２４】
前記上側カバー６２及び前記下側カバー６３は、頂上の部分をなす水平な上面部６２ａ，６３ａと、該上面部６２ａ，６３ａの両サイドから斜面状をなす斜面部６２ｂ、６３ｂと、該斜面部６２ｂ、６３ｂの両サイドから前記台座１０に対して略直角状となるように垂設してなる支持部６２ｃ，６３ｃとより一体に形成してなり、前記下側カバー６３の足Ｆ先側の端部６３ｄには、空間７内の熱が逃げないようにするストッパ１３が配設され、前記上側カバー６２の被施療者２の首Ｎ周りの端部６２ｄには、空間７内の熱が逃げないようにする第２ストッパ１４が配設されてなる。また、前記蝶番６４は、上面部６２ａ，６３ａの一端部６２ｅ，６３ｅに配されている。前記ストッパ１３は、下側カバー６３の端部６３ｄに嵌合される木質或いは合成樹脂よりなる板にて形成されてなる。前記第２ストッパ１４は、上側カバー６２の端部６２ｄを覆うと共に前記被施療者２の首Ｎ周りに負荷を与えないような布状の可撓性を有する部材であって、端部２ｄより吊下げられている。また、ほぼ真ん中で左右に割れるようにしてある。
【００２５】
前記第２放射手段８は、ブラックカーボン面状発熱体（図示せず）に、遠赤外線放射機能性に優れた、学名『天然ホルンブレンドカミングトン閃石ひん岩』、通称オーラストーンと称する鉱石の微粒子を５〜４０％の混入率で攪拌して形成されてなるものを被覆している。通称オーラストーンと称する鉱石の微粒子の混入率が５％以下では、保温性、抗菌性、消臭性の性能が落ち、同じく通称オーラストーンと称する鉱石の微粒子の混入率が４０％以上では、ブラックカーボン面状発熱体の樹脂強度が著しく弱くなることを確認した。
【００２６】
図３６に示すように、岩盤浴等に使われている鉱石の成分表により明らかように、前記放射手段３に使われている『天然貴蛇紋石』や、前記第２放射手段８に使われている学名『天然ホルンブレンドカミングトン閃石ひん岩』の含有成分は、十数種類の元素の複雑な配合であることが理解できる。それと比較して現在岩盤浴に使われている鉱石は数種類の元素からしかなっていない。この微妙な物質的構造の活動が、エネルギーのチャージ能力をアップさせていると思われる。更に、保温性にかけては、天然貴蛇紋石は優れている。この温熱エネルギーの特徴は、被施療者２の表皮ばかりでなく、体内深く浸透し、貫通機能も見られるもので、本発明の前記温熱療養装置１に施療した後の体温の低下現象を見ると、前記温熱療養装置１から離れて、４０分を経過してもほとんど低下しないことを確認している。
【００２７】
前記アーケード６の前記上側カバー１２に形成してなる前記斜面部１２ｂの斜面角度は、該斜面部１２ｂの内面の両サイドに装着されたオーラパウダー入りブラックカーボン面状発熱体の放射エネルギーが、図４に示すように、その下に横たわる被施療者２の横断面における中心である『丹田』と呼ばれるツボに集中して放出されるように形成されてなる。云うまでもなく、この『丹田』は、東洋医学で、臍(へそ)の下のあたりを指し、全身の精気の集まる所とされている。この他にも被施療者２の横断面における中心には、『チャクラー』と呼ばれるツボがいくつかあるので、ここに集中して遠赤外線放射エネルギーを放出可能なるように形成されてなる。この場合においては、下側カバー１１の斜面部１１ｂも同じように寄与する。このように、断面形状に意味を持たせてあることで、今までにないハイパワーの遠赤外線放射エネルギーを得られるのである。
【００２８】
前記台座１０の化粧部材１５は、前記したように、南アフリカ産のベルファースト材という花崗岩よりなるものであるが、図１１及び図１２に示すように、全長１８００ミリメートルで、全幅２５０ミリメートル、板厚４０ミリメートルの方形の第１部材２３、２３と、図１３に示すように、全長１１３０ミリメートルで、全幅２００ミリメートル、板厚４０ミリメートルの方形の第２部材２４、２４とがそれぞれ対向して配され且つ図示しない金具で固持されることで、額縁状をなす。台座１０に載置された状態での第１部材２３の対向する内側且つ上側の面には、幅寸法５０ミリメートルで上側の面から３ミリメートルほど削り込んだガイド部２５が形成されている。該ガイド部２５は、放射手段３と該第１部材２３との上面が同一面となる間にあって溝状をなし、前記キャスター２２が滑動するときの上側カバー１２をスムーズに案内する凹部となる。また、第２部材２４の外側に配される面２４ａと横側に配される面２４ｂ、２４ｂとのコーナーには、半径３０ミリメートルの面取り部２４ｃ、２４ｃが形成されてなる。
【００２９】
前記台座１０の脚体１６も、前記したように、南アフリカ産のベルファースト材という花崗岩よりなるものであるが、第１脚２７、２７と、第２脚２８、２８とよりなる。前記第２脚２８、２８の下部に、方向回転自在の滑らかなボールキャスターが設けられていれば、移動時の負担を軽くできる。
【００３０】
前記第１脚２７は、図６及び図７に示すように、左右幅方向１０７０ミリメートル、縦方向２９４ミリメートル、板厚４０ミリメートルの方形の板状部材で、化粧部材１５の中心から左右側ＡＢ方向にそれぞれ２３５ミリメートル離れた位置になるように配されてなり且つ上下側ＣＤが１０７０ミリメートルの長尺が延長方向に２個、都合２１４０ミリメートルとなる。第１脚２７の一端部２７ａから５１９ミリメートルの位置には、幅４２ミリメートルで下端部からの高さ１４８ミリメートルの第１切り欠き２７ｂが形成されてなる。
【００３１】
前記第２脚２８は、図６及び図８に示すように、左右幅方向１０７０ミリメートル、縦方向２９４ミリメートル、板厚４０ミリメートルの方形の板部材で、化粧部材１５の一端部１５ａから上下側ＣＤ方向に５５０ミリメートル離れた位置及び該位置から１０２０ミリメートル離れた方向に都合２個配置されてなる。第２脚２８の一端部２８ａ及び他端部２８ｂからそれぞれ２５９ミリメートルの位置には、幅４２ミリメートルで上端部からの深さ１４８ミリメートルの第２切り欠き２８ｃ、２８ｄが形成されてなる。前記第１切り欠き２７ｂと前記第２切り欠き２８ｃ、２８ｄとを嵌合させることで組み上がるようになっている。
【００３２】
次に、電源投入操作順序について説明する。
【００３３】
前記温熱療養装置１の台座１０の横側に、図１，図２，図５に示すように、吊下げられてなるコントローラ１９のオンオフスイッチ３３をオン側に押すと、表示部３３ａが点灯し、オフ側に押すことで表示部３３ａを消灯させるようになっている。温度制御スイッチ３１、３２を選択して制御することで、加温手段４及び第２加温手段９の最適温度が制御できる。次に、連続運転用スイッチ３６を押すと、表示部３６ａが点灯すると同時に加温手段４及び第２加温手段９に電圧が印可されて、温度が上昇を始める。
【００３４】
タイマースイッチ３５による図示しないタイマーの設定時間は、１０分おきに０分から６０分で、運転開始するとタイマーの表示目盛り３５ａ（デジタル表示）は、時間経過と共に減って行くようにしてある。設定した時間が過ぎて、タイマーが終了する（つまり、０になる）と、図示しないブザーが鳴り、終了を知らせてくれる。
【００３５】
自動運転用のオートスイッチ３４を押すと、あらかじめ設定された温度で発熱コードヒーター１８が出力を開始し、設定されたタイマー時間で運転が停止できるので、施療中に寝込んでしまっても、何ら問題が生じないことになる。かかる自動運転設定の方法については、自動運転用のオートスイッチ３４を２秒以上押し続けると、自動運転の設定を変更できる。アーケード６の下側カバー１１及び上側カバー１２における第２加温手段９の温度及び運転時間と、放射手段３における加温手段４の温度及び運転時間が記憶できる。
【００３６】
また、オンオフスイッチ３３をオンにして、温度が頂点に達した段階で、オンオフスイッチ３３をオフにして加温を止めても、以後前記放射手段４及び第２放射手段８自体が有する保温力で最低３時間は、施療できる温度を持続できる。この間の消費電力は、当然０KWであり、省エネで環境にも優しいことになる。
【００３７】
放射手段３を暖める加熱手段４による所要時間は、出願人において確認したところ、秋口の常温状態から３０分程度で７０℃に達し、アーケード６の第２放射手段８を暖める第２加温手段９による所要時間は、同じく５分程度であり、それぞれの温度は施療に適切な最高値である７０℃に達する。急速に暖まるアーケード６の第２放射手段８が発する熱は、下部に設けた台座１０上の放射手段３に放射を続け、その温熱を吸収して放射手段３が急速に暖まる。加温手段４である発熱コードヒーター１８からの発熱により放射手段３が急速に暖まることに相まって、第２放射手段８が放つ発熱を受けて、効率よく暖めることができる。一旦熱吸収を終えた放射手段３は保温力に優れ、常に加熱の必要性はなく、１／８の消費電力で連続施療に応え得ることになる。
【００３８】
オートスイッチ３６による制御は、天然貴蛇紋石を用いた放射手段３が頂点の７０℃に達すると、その温度を放射手段３に内蔵しているサーモスタット（図示省略）が温度を検知し、自動的にオートスイッチ３６はオフになるようにコントローラ１９が設定されている。加温手段４が停止して時間の経過（実験的には３時間経過後）で放射手段３の温度が４２℃まで下がると、再び自動的にオートスイッチ３６がオンになって、５分後には頂点温度の７０℃まで上昇し、再びオートスイッチ３６がオフになることの繰り返しを行えるものである。
【００３９】
このようにして、被施療者２を支えることが可能なると共に遠赤外線エネルギーを放射可能なる放射手段３及び該放射手段３を暖めることで被施療者２を暖めることが可能な加温手段４よりなる支持手段５と、該支持手段５上に配され且つ該支持手段５上にある被施療者２を包むことが可能なるアーケード６とより少なくとも構成してなり、前記アーケード６の内面に、遠赤外線エネルギーの放射可能なる第２放射手段８及び該第２放射手段８を暖めることで被施療者２を暖めることが可能な第２加温手段９を配してなることにより、被施療者２は、支持手段５の放射手段３とアーケード６の第２放射手段８とに包まれる関係にあるので、放射手段３及び第２放射手段８が放射する遠赤外線エネルギーが被施療者２の身体の奥まで達し、身体の活性化を図ることができる。
【００４０】
前記放射手段３が、天然貴蛇紋石よりなり、前記第２放射手段８が、天然ホルンブレンドカミングトン閃石ひん岩の微粒子入りパウダー混入材よりなるため、それぞれの石の持つ性能により被施療者２が効率よく施療可能であるばかりでなく、一度暖めると長時間の温度保持が可能となり、加温手段４及び第２加温手段９をたびたび稼働させる必要が無い分、消費電力を少なくできる。また、新陳代謝を促し、細胞の活性化に促し、心身負担の軽減に役立つ省エネルギー効果を有する。天然貴蛇紋石の保温力と、活性成分からなるエネルギーは、被施療者２の身体の奥まで浸透する。サーモスタット等の測定器の検査結果を見る限り、活力エネルギーは身体に浸透貫通し、温熱療養装置１から離れて距離をおいて（つまり、温熱療養装置１の熱の影響のないところで）１時間経っても、血液はさらさらと流れている様子が伺える。
【００４１】
この温熱療養装置１の場合は、放射手段３の上に被施療者２が、図２に示すようにうつ伏せになったり、図３及び図４に示すように仰向けにゆったりと寝そべるなど、身体の姿勢を適宜変える事が出来るので、必要とする患部に合わせて、自由自在の姿勢で利用出来る。放射手段３の放射温熱エネルギーを平均的に受けられ、加えて温熱療養装置１を用いることで生じた汗の臭いも、放射手段３に用いられる天然貴蛇紋石の有する消臭機能で消し、また適度な湿度の環境で、テレビを見たり、本を読んだり、携帯電話を利用できるから、ビジネスや囲碁他のゲームも出来、ストレス解消でリラックス出来、精神環境も整えられるものとなる。
【００４２】
温熱療養装置１の設置する部屋自体は、温度的な影響も湿度的な影響も何ら受けることがないので、高温多湿にならず、観葉植物や生花や造花を飾る事も出来ることになり、部屋の美化で良い雰囲気を得ることができる。室内では常温域における放散エネルギーを人体も植物も受け、生き生きとした植物類に囲まれ精神環境を整える事で、気力も食欲をも増すことになり、その効果で被施療者２はリラックスし、また精神環境を整え、回復に効果が見られる可能性がある。つまり、人間にも植物にも快適な環境に保つ事が出来る。温熱療養装置１から発するエネルギーは、植物の延命にも役立つことが確認できている。
【００４３】
アーケード６の第２放射手段８は、放散エネルギーを被施療者２に向かっての放射が可能な角度に形成されてなるし、打ちつけられるエネルギーを第２放射手段８が吸収し、被施療者２に向けて放射を続けることができる。
【００４４】
前記温熱療養装置１は、自家用に用いても良いが、事業用に用いても良い。不健康の原因の一つに、血行不良の冷たい身体と言われており、血行不良であると、内臓器官の働きを悪くし、新陳代謝や免疫力が低下し、体力も落ちる、と言われている。そこで、この温熱療養装置１で被施療者２の身体を暖め、まず冷たい身体を正常体温に戻すことで、身体を守る機能を高め、不快感の解消に役立つことができる。
【００４５】
前記放射手段３及び第２放射手段８が放つ遠赤外線エネルギーの特徴は、被施療者２の身体に相応しい４〜１６μｍの波長帯で、療養に相応しいエネルギーである。この放射手段３及び第２放射手段８が放つ、優れたエネルギー質は、被施療者２の身体への浸透力が強く、免疫力を高め、病と対抗させる手段を満足させることができるものである。免疫療法に有効の４２℃前後の温熱で患部を暖め、細胞免疫治療に、成人病の予防と療養に、リハビリにと、多くの効用を有する。
【００４６】
この実施例によれば、被施療者２の首Ｎより下側の上半身２ｂ及び下半身２ａに相当する部位に配されると共に遠赤外線エネルギーを放射可能なる放射手段３と、該放射手段３を暖めることで被施療者２を暖めることが可能な加温手段４とより支持手段５が構成してなるため、被施療者２は、放射手段３が放射する遠赤外線エネルギーが被施療者２の身体の奥まで達し、身体の活性化を図ることができる。また、加温手段４により暖められた放射手段３により、頭Ｈをのぞいた被施療者２の身体全体が暖められるので、気持ちの良い加温性を得られることができる。
【００４７】
放射手段３の裏面３ｂ側に、前記加温手段４の熱を放散させない断熱手段２６があることで、加温手段４の熱が放射手段３に全て加わり、効率的に放射手段３を暖めることができる。その分、消費電力を少なくできる。
【００４８】
前記放射手段３が、天然貴蛇紋石よりなるため、遠赤外線放射率が高く、保温性、抗菌性、消臭性に優れ、被施療者が効率よく施療可能であるばかりでなく、一度暖めると長時間の温度保持が可能となり、加温手段４をたびたび稼働させる必要が無い分、消費電力を少なくできる。
【００４９】
前記放射手段３の上には、該放射手段３上にある被施療者２を包むことが可能であると共に遠赤外線エネルギーを放射可能なる第２放射手段８を内面に備えたアーケード６が配されてなるため、被施療者２は、放射手段３と第２放射手段８とに包まれる関係にあるので、放射手段３及び第２放射手段８が放射する遠赤外線エネルギーが被施療者２の身体の奥まで達し、身体の活性化を図ることができる。
【００５０】
前記放射手段３及び加温手段４は、台座１０に支持されてなるため、台座１０と一体感が生じ、商品性に優れることになる。
【００５１】
前記台座１０は、熱伝導性・保温性・放射性を有し、常温域での遠赤外線放射にも優れた癒しの材質である花崗岩よりなる化粧部材１５及び脚体１６とよりなるため、前記化粧部材１５及び脚体１６が、放射手段３同様常温域は勿論、加熱した場合の熱伝導性・保温性・放射性を有するので、冬季など雰囲気温度が低い時にも、被施療者２にひんやりした石の嫌悪感を与えないことになる。また、化粧部材１５及び脚体１６が、花崗岩よりなるので、該花崗岩のもつ高級感により、室内のグレードの高さを引出すのに寄与することになる。
【００５２】
また、放射手段３及び第２放射手段８は、温熱効果で見られる主な効能効果について、血行促進・ダイエット・生活習慣病や心筋梗塞や坐骨神経痛や腰・肘・膝等の関節の痛みの改善・血圧の正常化・自然細胞の老化防止・細胞の活性化・体質改善・美容効果を有する。この他にも、前立腺肥大やリウマチ神経痛等にも効果が期待できる。前記効能の条件は、まず優れた鉱石成分を核に、常温と加温をもって鉱石の機能を引き出し、鉱石の有する特徴でエネルギーの無駄ない利用により、その結果を最大限に発揮できるものである。
【００５３】
また、このアーケード６は、まるでドッグハウスの屋根の様な大きな斜面を有する形状であるので、その側面である斜面部１１ｂ、１２ｂの外側の面に気に入った絵を貼ったり描いたり、モール等で飾り付けをすれば、素敵なインテリアにもなり、それによる癒し効果も見込まれる。また、頂上の部分をなす水平な上面部１１ａ，１２ａには、携帯電話やテレビのリモコンや本等の小物を置くことも出来るし、角がない形状であるので、アーケード６のそばで転んだりしても、大きな怪我になる心配もない。
【００５４】
アーケード６は、前記被施療者２の下半身２ａ側を覆う下側カバー１１と、該下側カバー１１の上側に重なる位置から前記被施療者２の上半身２ｂ側を覆う位置にスライド可能なる上側カバー１２とよりなるので、下側カバー１１は、被施療者２の下半身２ａを主に暖め、殆ど不動状態でエネルギーを下半身２ａに向けて温熱の放射を続けることができる。上側カバー１２は、被施療者２の上半身２ｂを主に暖めることができる。下側カバー１１の上側には、上側カバー１２が重なるようにして置かれ、上側カバー１２の前後（寝た被施療者２にとっては上下、ということ）の位置調節をもって上半身２ｂ側を往復スライドさせることで、被施療者２の身長などに合致させることができる。
【００５５】
操作順序として、上側カバー１２を下側カバー１１側の上側に重ねた状態に移動させ、被施療者２の足Ｆ先から下側カバー１１の奥側に向けて足Ｆを入れて寝転がる。好みの姿勢で収まった所で、上側カバー１２を被施療者２の上半身２ｂの好ましい位置まで引き上げるように引っ張ると、キャスター２２によりスムーズに上側カバー１２が上半身２ｂを覆うように移動できるから、遠赤外線エネルギーの温熱を上半身２ｂで受けて全身を療養にあてることができる。
【実施例２】
【００５６】
図１５乃至図１９は、本願発明の第２実施例を示す図である。この第２実施例では、放射手段４１は、被施療者２が寝ころんだ状態での左右側が６３０ミリメートル、上下側が９００ミリメートル、板厚２０ミリメートルの方形の天然貴蛇紋石を被施療者２の頭部Ｈ側から足Ｆ側に向けて２枚並べて台座１０の上に配されるものであり、該放射手段４１と、該放射手段４１の下側に介在される「加温手段」である面状発熱体４２と、前記放射手段４１と同じ左右上下幅で、厚さが５５ミリメートルの硬質ポリウレタン製の断熱材４３とが接着により一体に形成されてなり、台座１０に保持されるものである。
【００５７】
前記面状発熱体４２は、１００ボルト（Ｖ）、１２００ワット（Ｗ）で、９０℃以上にならないように制御するサーモスタット４４を備えている。前記放射手段４１を最高温度７０℃に達するまで２．４時間を必要とする。前記サーモスタット４４は、前記断熱材４３に形成された陥凹部内に嵌合可能なるようにしてある。
【００５８】
かかる放射手段４１、面状発熱体４２、断熱材４３は、前記台座１０に保持できることは、前記第１実施例と同じである。
【００５９】
かかる実施例によれば、機能性部材の天然貴蛇紋石よりなる放射手段４１の厚みを、第１実施例の放射手段３に比較して２分の１にする事で、放射手段３が軽量となり、設置や移動の扱いが楽になる。
【実施例３】
【００６０】
図２０乃至図２３は、本願発明の第３実施例を示す図である。この第３実施例では、屏風型のアーケード５１とするものである。
【００６１】
屏風型のアーケード５１は、下側カバー５３と、該下側カバー５３に対して重なる位置と、上側にスライドする位置とに移動可能な上側カバー５２とよりなることと、は、第１実施例と同じである。第１実施例と異なる点は、上側カバー５２も下側カバー５３も共に可撓性を有するようにして、折り曲げ部５４、５５の折り曲げの深さを浅くした点と、ストッパ１３及び第２ストッパ１４を上側カバー５２及び下側カバー５３の一端部５２ａ、５３ａに嵌合させることで、第１実施例の上側カバー１２及び下側カバー１３のような中空かまぼこ状にすることができるようにした点である。
【００６２】
尚、符号２９’は、上側カバー５２及び下側カバー５３の他端部５２ｂ、５３ｂに嵌め込んだ第２シール部材であり、前記第２シール材２９同様、上側カバー５２及び下側カバー５３間の隙間から空間７内の熱気が逃げないように配されてなる。
【００６３】
該ストッパ１３及び第２ストッパ１４を上側カバー５２及び下側カバー５３の一端部５２ａ、５３ａから外すと、元の位置に復帰するバネ力が働いて、緩やかなカーブを描いた状態となる。上側カバー５２及び下側カバー５３の一端部５２ａ、５３ａからストッパ１３及び第２ストッパ１４を外して、図２２に示すように立てれば、緩やかなカーブを描いた屏風のようになり、図２３に示すように曲げれば、屏風そのもののような雰囲気を醸しだし、しかも、省エネ薄型パネルヒーターとして、部屋の暖房機としても利用出来ることになる。
【００６４】
上側カバー５２及び下側カバー５３の内側に配される第２加温手段（図示省略）は、ブラックカーボン面状発熱体にガラスエポキシやＦＲＰやＰＥＴ等の樹脂にオーラパウダーを５〜４０％の混入率で攪拌して練り込んだ物を絶縁体として貼り合わせたものである。前記方法の他に、ブラックカーボン面状発熱体に一般のガラスエポキシやＦＲＰやＰＥＴ等の樹脂を貼り合わせて仕上げた第２加温手段の表面に、オーラパウダーを練り込んだ不織布や生地を貼り合わせて屏風型にしても良い。
【００６５】
前記何れかの方法により製造した屏風型のアーケード５１は、一般のブラックカーボン面状発熱体とは熱質が全く異なり、遠赤外線を多量に放射し、被施療者２の身体の深部まで暖めることが出来る。更に一度暖まったブラックカーボン面状発熱体のエネルギーをオーラパウダーが蓄熱するので、消費電力も約３０％カット出来る。
【００６６】
かかる実施例によれば、第１実施例のような大型の成形の金型を必要とせず、緩やかなカーブを描いているか、平面状に成形できるので、オーラパウダー入りブラックカーボン面状発熱体となり、高齢化が進むこの時代に、火を使わないクリーンな暖房機として、また高齢者の痛みや疲れを緩和する健康機器として活用できることになる。更なる使い方として、読書用の机を囲むことで、腰辺りのみを暖めてくれる暖房機としても適している。上側カバー５２と下側カバー５３とで、椅子を囲めば、椅子型低温サウナとして使用する事も出来る。上側カバー５２と下側カバー５３とは、薄型なので、使用しない場合は折り畳んで押入れや家具の隙間等に収納する事が出来る。
【実施例４】
【００６７】
図２４乃至図２７は、本願発明の第４実施例を示す図である。この第４実施例では、回転式の上側カバー６２を有するアーケード６１とするものである。
【００６８】
前記アーケード６１は、上側カバー６２の一端部６２ｅと、下側カバー６３の一端部６３ｅとは、蝶番６４により回転自在で、図２７に示すように、下側カバー６３の上に上側カバー６２が乗って支承される関係にある。
【００６９】
前記上側カバー６２及び前記下側カバー６３は、頂上の部分をなす水平な上面部６２ａ，６３ａと、該上面部６２ａ，６３ａの両サイドから斜面状をなす斜面部６２ｂ、６３ｂと、該斜面部６２ｂ、６３ｂの両サイドから前記台座１０に対して略直角状となるように垂設してなる支持部６２ｃ，６３ｃとより一体に形成してなり、前記下側カバー６３の足Ｆ先側の端部６３ｄには、空間７内の熱が逃げないようにするストッパ１３が配設され、前記上側カバー６２の被施療者２の首Ｎ周りの端部６２ｄには、空間７内の熱が逃げないようにする第２ストッパ１４が配設されてなる。また、前記蝶番６４は、上面部６２ａ，６３ａの一端部６２ｅ，６３ｅに配されている。前記ストッパ１３は、端部６３ｄに嵌合される木質或いは合成樹脂よりなる板にて形成されてなる。前記第２ストッパ１４は、端部６２ｄを覆うと共に前記被施療者２の首Ｎ周りに負荷を与えないような布状の可撓性を有する部材であって、端部１２ｄより吊下げられている。また、ほぼ真ん中で左右に割れるようにしてある。
【００７０】
かかる実施例によれば、第１、第２実施例に記載した効果を有するばかりか、上側カバー６２が、図２７に示す折り畳んだ状態では、被施療者２を包む内面側が上を向くので、第２放射手段８の清掃性に優れ、第２放射手段８及び第２加温手段９のメンテナンス作業姿勢も良く、作業の促進が図れることになる。
【実施例５】
【００７１】
図２８は、本願発明の第５実施例を示す図である。この第５実施例では、放射手段７１に加温可能な筺７２を設けた所謂掘りごたつタイプのものである。
【００７２】
この放射手段７１は、前記被施療者２を下側から支えることが可能なると共に天然貴蛇紋石よりなることで遠赤外線エネルギーを放射可能なるものであり、該放射手段７１自体が、家屋の床７３上に敷設されてなると共に、放射手段７１の適宜の位置に形成した開口７４に、上部に被施療者２の足Ｆを挿入可能なる挿入部７２ａを有する筺７２を配してなる。床７３には、前記筺７２を挿入可能なる開口７５が形成されてなると共に筺７２を収納可能な収納部７６が形成されてなる。
【００７３】
前記筺７２の底面部７２ｂ上には、断熱板７７と、該断熱板７７の上に配される発熱ヒータなどの加温手段８１と、該加温手段８１の上に配されると共に前記放射手段７１と同じ天然貴蛇紋石よりなることで遠赤外線エネルギーを放射可能なる第３放射手段７８とが層状をなして配される。
【００７４】
前記筺７２の側面部７２ｃには、加温手段８１の熱を反射させる反射板７９が、囲繞してなる。符号８０は、床７３及び放射手段７１の上に配される畳である。該畳８０の代りにマットでも良い。また、前記開口７４の上側には、アーケード６，５１が配されても良いし、その代りに炬燵状のアーケードでも良い。
【００７５】
かかる実施例によれば、被施療者２を支えることが可能なると共に遠赤外線エネルギーを放射可能なる放射手段３と、該放射手段３を暖めることで被施療者２を暖めることが可能な加温手段４とより構成してなり、前記放射手段３の上面には、上部開口を有する開口７４を形成し、該開口７４には、被施療者２の足Ｆを挿入可能なる挿入部７２ａを有する筺７２を配してなるため、被施療者２は、放射手段７１が放射する遠赤外線エネルギーが被施療者２の身体の奥まで達し、身体の活性化を図ることができる。また、加温手段８１により暖められた放射手段７１により、頭Ｈをのぞいた被施療者２の身体が暖められるので、気持ちの良い加温性を得られることができる。更に、挿入部７２ａから筺７２内に挿入した足Ｆは、曲げなくて良い分関節に無理な力が加わらず、楽な姿勢を保つことができる。該筺７２に何らかの加熱手段８１を配していれば、炬燵のような暖房設備になり、足Ｆを除く下半身２ａは放射手段７１による遠赤外線エネルギーを吸収し、足Ｆは何らかの加熱手段８１で暖められて、頭寒足熱となる。
【００７６】
前記筺７２の底面部７２ｂには、被施療者２の足Ｆを支えることが可能なると共に遠赤外線エネルギーを放射可能なる第３放射手段７８と、該第３放射手段７８を暖めることで被施療者２の足Ｆを暖めることが可能な第３加温手段８１とを配してなるため、被施療者２は、放射手段７１及び第３放射手段７８が放射する遠赤外線エネルギーが被施療者２の身体の奥まで達し、身体の活性化を図ることができる。また、加温手段４及び第３加温手段８１により暖められた放射手段７１及び第３放射手段７８により、頭Ｈをのぞいた被施療者２の身体が暖められるので、気持ちの良い加温性を得られることができる。更に、挿入部７２ａから筺７２内に挿入した足Ｆは、曲げなくて良い分関節に無理な力が加わらず、楽な姿勢を保つことができる。該筺７２に配した第３加温手段８１により、筺７２が炬燵のような暖房設備になり、足Ｆを除く下半身２ａは放射手段７１による遠赤外線エネルギーを吸収し、足Ｆは第３放射手段７８による遠赤外線エネルギーを吸収できることになる。
【００７７】
天然貴蛇紋石よりなる前記放射手段７１及び第３放射手段７８は、保温性に優れている。この温熱エネルギーの特徴は、被施療者２の表皮ばかりでなく、体内深く浸透し、貫通機能も見られるもので、本発明の前記温熱療養装置１に施療した後の体温の低下現象を見ると、前記温熱療養装置１から離れて、４０分を経過してもほとんど低下しないことを確認した。つまり、炬燵に暖まっている状態で、放射手段７１及び第３放射手段７８が放射する遠赤外線エネルギーが被施療者２の身体の奥まで達し、身体の活性化を図ることができる。この第３放射手段７８は、前記したように、放射手段７１に形成した開口７４にほぼ等しい大きさのものであるから、発明としては、放射手段７１の機能の中に含まれるものである。
【００７８】
また、第３加温手段８１により、前記放射手段７１及び第３放射手段７８が暖められ、頭Ｈをのぞいた被施療者２の身体を前記放射手段７１及び第３放射手段７８の間に入り込んでいることで、頭Ｈを暖めずに被施療者２の身体全体が暖められるので、気持ちの良い加温性を得られることができる。
【実施例６】
【００７９】
図２９は、本願発明の第６実施例を示す図である。この第６実施例では、放射手段９１が床暖房機能を持たせた例のものである。
【００８０】
この放射手段９１は、前記被施療者２を下側から支えることが可能なると共に天然貴蛇紋石よりなることで遠赤外線エネルギーを放射可能なるものである。該放射手段９１は、家屋の床９２上に敷設されてなる断熱板９３の上に配されるブラックカーボン面状発熱体などの加温手段９４の上に配されてなる。
【００８１】
かかる実施例によれば、保温性に優れている天然貴蛇紋石により、被施療者２の表皮ばかりでなく、体内深く浸透し、貫通機能も見られるもので、前記加温手段９４で暖めた放射手段９１で施療後の体温の低下現象を見ると、暖めた放射手段９１から離れて、４０分を経過してもほとんど低下しないことを確認した。
【００８２】
即ち、放射手段９１からの遠赤外線エネルギーの放射率は高く、加温手段９４により一度暖めると長時間の温度保持ができる。前記放射手段９１に用いる天然貴蛇紋石は、鉱石群の中でも保温力は高いので、消費電力も最小限で収まる。加えて熱伝導性にも優れ、放つ遠赤外線エネルギーは近赤外線の刺々しい熱質とは異なり、まろやかなエネルギーを放射可能である。
【００８３】
かかるまろやかなエネルギーを放射可能な放射手段９１の上に、炬燵９５を置いて、図示しない布団で覆えば、前記放射手段９１により、頭Ｈを暖めずに被施療者２の身体が暖められるので、気持ちの良い加温性を得られることができる。
【００８４】
図３０は、この実施例の第１変形例で、放熱手段９１を畳み式台に使用した例である。図３１は、この実施例の第２変形例で、放熱手段９１の上に布団９６を敷設した例である。図３２は、この実施例の第３変形例で、かかるまろやかなエネルギーを放射可能な放射手段９１の上に、勉強机９７を置いた例である。符号９８は、床９２の上に敷設されてなる化粧床板である。図３３は、この実施例の第４変形例で、かかるまろやかなエネルギーを放射可能な放射手段９１の側に、キッチンセット９９を置いた例である。かかる場合、料理などを行う人が足から伝わるかかるまろやかなエネルギーで健康に寄与しつつ、冷え症の改善に繋がる効果を有する。そして、図３４は、この実施例の第５変形例で、かかるまろやかなエネルギーを放射可能な放射手段９１を支持手段であるベッド１００の上に敷設した例である。
【産業上の利用可能性】
【００８５】
以上の実施例では、前記台座１０は、南アフリカ産のベルファースト材よりなる花崗岩の例を示したが、ベルファースト材に限定されるものではなく、主に中華人民共和国山西省産の黒御影石。通称「山西黒」という花崗岩でも、木材、特に檜材でも良い。かかる山西黒は価格が割安であるにも関わらず、ベルファースト材に次ぐ放射エネルギーを持っている。また、木材であれば、被施療者２の下側からの放射エネルギーは期待できないものの、被施療者にひんやりした花崗岩以外の石の嫌悪感を与えないことになる。また、台座１０全体の重量が軽くなり、移動が容易なばかりか、台座１０を支える床への影響が少なくて済み、畳でも載置が可能となる。また、木材中でも檜であれば、檜独特の癒しを生じさせる匂いを嗅ぎながら施療を行うことが可能であるので、癒し効果が高まることになる。
【００８６】
また、前記コントローラ１９は、加温手段４及び第２加温手段９により全ての放射手段３及び第２放射手段８をそれぞれ制御する例を示したが、これに限定されるものではなく、放射手段３、４１用の加温手段４、４２及び第２放射手段８の第２加温手段９が分割されていれば、それ毎に温度調節を可能にするように電気コードで接続して、被施療者２の身体の施療をしたい部位（例えば、腰と背中）毎に温熱放射せしめることが可能なるようにしてもよい。かかる構造とするすることにより、施療をしないでもよい部位（例えば、足）には、加温をしないですむ分、省エネルギーができることになる。
【００８７】
前記下側カバー１１、６３及び前記上側カバー１２，６２は、上面部１１ａ，１２ａ，６２ａ，６３ａと、斜面部１１ｂ，１２ｂ，６２ｂ，６３ｂと、支持部１１ｃ，１２ｃ，６２ｃ，６３ｃとより一体に形成してなる例を示したが、一体に形成してなるものに限定されるものではなく、細長い板よりなる上面部と、方形の板よりなる斜面部とを相互に嵌合させるようにし、該斜面部と、細長い板よりなる支持部とを相互に嵌合させるようにすることで、原価を低減するようにしても良い。
【００８８】
前記放射手段３，４１及び第２放射手段８は、前記実施例では、全て加温手段４，４２及び第２加温手段９をオンにして施療を行う、と説明したが、加温する場合に限定されるものではなく、夏場など雰囲気温度が高い場合に、かかる加温手段４，４２及び第２加温手段９をオフにして施療しても、前記放射手段３，４１及び第２放射手段８が有する放射エネルギーにより施療効果が生じる。
【００８９】
前記放射手段３，４１及び第２放射手段８との間の空間７には、何も配されていない実施例で説明したが、かかる場合に限定されるものではなく、例えば、直径８０ミリメートル、長さ３００ミリメートルで、板厚１０ミリメートルの中空円柱状の部材を、前記した放射手段３，４１と同じ天然貴蛇紋石で形成されてなる指圧部材を該空間７中に放置したままにしておくと、前記放射手段３，４１及び第２放射手段８の加温時に同時に加温され且つ板厚が薄い分早期に暖まり且つ円柱状であるのに転がりやすいから、被施療者２の腰部や脹脛部に相当する位置に転がして移動させて被施療者２の腰部や脹脛部に相当する部位を指圧部材に載せると、自重により適度な指圧ができ、気持ちの良いものとなる。
【図面の簡単な説明】
【００９０】
【図１】本発明の第１実施例に係る温熱療養装置を示す斜視図。
【図２】図１の分解斜視図。
【図３】図１中矢示ＳＡ−ＳＡ線に沿い且つ被施療者を横臥させた状態を示す断面図。
【図４】図３の矢視ＤＢにかかる側面図。
【図５】図１乃至図４の台座のみを示す斜視図。
【図６】図１乃至図４の脚体のみを示す底面図。
【図７】図６の第１脚を示す斜視図。
【図８】図６の第２脚を示す斜視図。
【図９】図１乃至図４の放射手段を示す平面図。
【図１０】図９中矢示ＳＣ−ＳＣ線に沿う断面図。
【図１１】図１乃至図４の台座の第１部材を示す平面図。
【図１２】図１１中矢示ＳＤ−ＳＤ線に沿う断面図。
【図１３】図１乃至図４の台座の第２部材を示す平面図。
【図１４】図１乃至図４のコントローラを示す正面図。
【図１５】本発明の第２実施例に係る温熱療養装置の放射手段、加温手段、断熱材を示す斜視図。
【図１６】図１５の断面図。
【図１７】図１５の断熱材に加温手段を重ねた平面図。
【図１８】図１５の放射手段等の三層構造体を台座に配した状態を示す平面図。
【図１９】図１５の加温手段に過昇温度防止手段を配した状態を示す平面図。
【図２０】本発明の第３実施例に係る温熱療養装置のアーケードを示す斜視図。
【図２１】図２０の分解斜視図。
【図２２】図２１のアーケードを屏風状に立てた状態を示す斜視図。
【図２３】図２２の他の実施例を示す斜視図。
【図２４】本発明の第４実施例に係る温熱療養装置の図３相当断面図。
【図２５】図２４のアーケード単体状態を示す斜視図。
【図２６】図２５のアーケードの上側カバーを持ち上げた例を示す斜視図。
【図２７】図２６のアーケードの上側カバーを下側カバーの上側に乗せた状態を示す断面図。
【図２８】本発明の第５実施例に係る温熱療養装置の一部を破断した状態を示す斜視図。
【図２９】図２８の第１変形例の一部を破断した状態を示す斜視図。
【図３０】図２８の第２変形例の一部を破断した状態を示す斜視図。
【図３１】図２８の第３変形例の一部を破断した状態を示す斜視図。
【図３２】図２８の第４変形例の一部を破断した状態を示す斜視図。
【図３３】図２８の第５変形例の一部を破断した状態を示す斜視図。
【図３４】図２８の第６変形例の斜視図。
【図３５】本発明の第１乃至第４実施例に係る天然鉱石遠赤外線放射量比較データ。
【図３６】本発明の第１乃至第４実施例に係る岩盤浴等に使われる鉱石等の成分表。
【符号の説明】
【００９１】
１  温熱療養装置
２  被施療者
２ａ  被施療者の下半身
２ｂ  被施療者の上半身
３，４１，７１，９１  放射手段
４，４２，８１，９４  加温手段
５  支持手段
６，５１  アーケード
７  空間
８  第２放射手段
９  第２加温手段
１０  台座
１１，５３，６３  下側カバー
１２，５２，６２  上側カバー
【図１】
2007136001.tif 000003
【図２】
2007136001.tif 000004
【図３】
2007136001.tif 000005
【図４】
2007136001.tif 000006
【図５】
2007136001.tif 000007
【図６】
2007136001.tif 000008
【図７】
2007136001.tif 000009
【図８】
2007136001.tif 000010
【図９】
2007136001.tif 000011
【図１０】
2007136001.tif 000012
【図１１】
2007136001.tif 000013
【図１２】
2007136001.tif 000014
【図１３】
2007136001.tif 000015
【図１４】
2007136001.tif 000016
【図１５】
2007136001.tif 000017
【図１６】
2007136001.tif 000018
【図１７】
2007136001.tif 000019
【図１８】
2007136001.tif 000020
【図１９】
2007136001.tif 000021
【図２０】
2007136001.tif 000022
【図２１】
2007136001.tif 000023
【図２２】
2007136001.tif 000024
【図２３】
2007136001.tif 000025
【図２４】
2007136001.tif 000026
【図２５】
2007136001.tif 000027
【図２６】
2007136001.tif 000028
【図２７】
2007136001.tif 000029
【図２８】
2007136001.tif 000030
【図２９】
2007136001.tif 000031
【図３０】
2007136001.tif 000032
【図３１】
2007136001.tif 000033
【図３２】
2007136001.tif 000034
【図３３】
2007136001.tif 000035
【図３４】
2007136001.tif 000036
【図３５】
2007136001.tif 000037
【図３６】
2007136001.tif 000038